(57)【特許請求の範囲】
【請求項１】
盛土斜面を緑化する方法であって、
盛土の少なくとも斜面の表面に、客土を積層し、
その後アンカー機能を有する補強材を０度より大きくかつ１０度以下の仰角で前記客土の斜面側から回転駆動装置によって回転させながら進入させ、
当該補強材に続けて、当該補強材と連結され、かつ周面に透水孔が形成され、さらに前記回転駆動装置の駆動部と係止して回転力を得るための凸部を後端部近傍内周に有するパイプを前記回転駆動装置によって回転させながら進入させ、少なくとも前記補強材が盛土に達するまで前記パイプの進入作業を行い、
前記進入作業を前記客土の斜面の複数個所で行った後に、前記客土に、植樹または苗植えのうち少なくとも１つを行なうことを特徴とする、盛土斜面の緑化方法。
【請求項２】
前記盛土及び前記客土の斜面のマウンド傾斜は０．６〜２．０であることを特徴とする、請求項１に記載の盛土斜面の緑化方法。
【請求項３】
前記パイプの進入長さは、前記客土の厚さよりも長いことを特徴とする、請求項１または２のいずれか一項に記載の盛土斜面の緑化方法。
【請求項４】
前記客土を前記盛土上に積層する厚さは、０．２〜１．４ｍであることを特徴とする、請求項１〜３のいずれか一項に記載の盛土斜面の緑化方法。
【請求項５】
前記補強材の前記盛土への進入長さは、補強に必要なアンカー機能を十分に発揮できる長さであることを特徴とする、請求項１〜４のいずれか一項に記載の盛土斜面の緑化方法。
【発明の詳細な説明】
【技術分野】
【０００１】
本発明は、盛土斜面の緑化方法に関するものである。
【背景技術】
【０００２】
たとえば建設現場や工場敷地内などで発生した土砂（残土）については、現場近傍や敷地内で盛土にした状態で仮置されていることがある。
【０００３】
しかしながら残土が盛土の状態でそのまま仮置されているのは、景観上、環境上、さらには安全上も好ましくない。また地域によっては、いわゆる緑化条例に緑化の推進や義務が記載され、たとえ民間の事業所であっても、具体的な緑化率が規定されているところもある。
【０００４】
この点に関し、そのような盛土状態の残土を緑化する方法ではないものの、硬質法面を緑化する方法として、硬質岩法面等の硬質法面に貫通孔を多数設け、該貫通孔の所定孔に羽根板付きアンカーを打設し、上記所定孔以外の貫通孔には有機系植生層と繊維束体部と空隙部とよりなる植生用筒体を挿入し、該所定孔以外の数個の貫通孔を１ブロックとして植生のポケットを形成し、該ポケット内に客土等の植生用基材を挿入して植生すると共に、該ポケット以外の硬質法面で羽根板付アンカーを打設した部分に対して基盤砂を吹き付けてサンドベース層を形成し、該サンドベース層の上方には有機系植生層、植生用深床層を形成し、硬質法面全体に植生して緑化することが提案されている（特許文献１）。
【先行技術文献】
【特許文献】
【０００５】
【特許文献１】特許第２９３９８５０号公報
【発明の概要】
【発明が解決しようとする課題】
【０００６】
しかしながら、かかる先行技術は、まず盛土を直接緑化するものではなく、対象としている法面は、コンクリート吹付面、モルタル吹付面、擁壁面、硬質岩法面等の硬質法面である。そのため、いかに締め固められているといっても、これらの硬質法面と盛土とは、硬さに大きな差異があり、そのまま適用できるものではない。しかも先行技術では、まず貫通孔を多数設け、次いで該貫通孔に羽根板付きアンカーを打設し、さらに専用の植生用筒体を用意して挿入して植生ポケットを形成し、ポケット内に客土等の植生用基材を挿入してから植生し、その後ポケット以外のアンカーを打設した部分に対して基盤砂を吹き付けてサンドベース層を形成し、さらにサンドベース層の上方に有機系植生層を形成するなど、非常な労力と手間、さらには必要な機材を多く必要とする。
このような施工方法は、盛土を緑化するにはあまりに過剰な施工方法であり、現実的ではない。
【０００７】
本発明は、かかる点に鑑みてなされたものであり、盛土を緑化するに適した簡易、適切な施工方法を提供して、前記問題の解決を図ることを目的としている。
【課題を解決するための手段】
【０００８】
前記目的を達成するため、本発明は、盛土斜面を緑化する方法であって、盛土の少なくとも斜面の表面に、客土を積層し、その後アンカー機能を有する補強材を０度より大きくかつ１０度以下の仰角で前記客土の斜面側から回転駆動装置によって回転させながら進入させ、当該補強材に続けて、当該補強材と連結され、かつ周面に透水孔が形成され、さらに前記回転駆動装置の駆動部と係止して回転力を得るための凸部を後端部近傍内周に有するパイプを前記回転駆動装置によって回転させながら進入させ、少なくとも前記補強材が盛土に達するまで前記パイプの進入作業を行い、前記進入作業を前記客土の斜面の複数個所で行った後に、前記客土に、植樹または苗植えのうち少なくとも１つを行なうことを特徴としている。
【０００９】
本発明によれば、盛土の少なくとも斜面の表面に、客土を積層し、その後アンカー機能を有する補強材を０度より大きくかつ１０度以下の仰角で前記客土の斜面側から回転駆動装置によって回転させながら進入させ、当該補強材に続けて、当該補強材と連結され、かつ周面に透水孔が形成され、さらに前記回転駆動装置の駆動部と係止して回転力を得るための凸部を後端部近傍内周に有するパイプを前記回転駆動装置によって回転させながら進入させ、少なくとも前記補強材が盛土に達するまで前記パイプの進入作業を行い、前記進入作業を前記客土の斜面の複数個所で行った後に、前記客土に、植樹または苗植えのうち少なくとも１つを行なうようにしたので、植物が生育するのに適した客土が、アンカー機能を有する補強材、ならびにパイプによって、盛土から滑り落ちることが防止される。また雨水が客土に進入しても、透水孔が形成されたパイプは仰角が０度より大きくかつ１０度以下で打ち込まれ、すなわち客土側から見て１０度以下の角度で下方に傾斜した配置となっているから、客土に浸透した雨水は、当該パイプを通じて速やかに外部に排水されるので、かかる点からしても、客土が盛土から滑り落ちることが防止される。
なお本発明においては、盛土内に進入している補強材が引抜き抵抗性を持っていることが必要であり、たとえば施工後には補強材のすべてが盛土内に進入している状態が好ましい。
【００１０】
そして施工自体も、盛土の少なくとも斜面の表面に客土を積層し、その後アンカー機能を有する補強材を客土の斜面側から進入させ、当該補強材に続けて周面に透水孔が形成されたパイプを進入させるだけであるから、従来よりも施工手間、労力は軽減されており、必要な機器、機材も従来よりも少なく、また小口径の杭を用いれば機材自体も小型のもので済む。
【００１１】
前記盛土及び前記客土の斜面のマウンド傾斜は１：０．６〜１：２．０であることが好ましい。ここでマウンド傾斜とは、後述の実施の形態でも説明するように、斜面の高さ（ａ）：水平長（ｂ）をいう。
【００１２】
前記パイプの進入長さは、前記客土の厚さよりも長いことが好ましい。
【００１３】
そして前記客土を前記盛土上に積層する厚さは、０．２〜１．４ｍであることが好ましい。
【００１４】
前記補強材の前記盛土への進入長さは、補強に必要なアンカー機能を十分に発揮できる長さであることがよい。
ここで補強に必要なアンカー機能を十分に発揮できる長さとは、たとえば引張力よりも補強材と地盤の付着力の方が大きくなる長さ、あるいは補強材を杭と捉えた場合、引張力よりも杭の引抜抵抗力の方が大きくなる長さをいう。
【発明の効果】
【００１５】
本発明によれば、従来よりも施工手間、労力は軽減されており、必要な機器、機材も従来よりも小型のもので済む。
【図面の簡単な説明】
【００１６】
【図１】盛土状態の残土の側面断面図である。
【図２】盛土状態の残土の表面に客土を積層した状態を示す側面断面図である。
【図３】実施の形態で用いた杭の側面図である。
【図４】実施の形態で用いたパイプの側面図である。
【図５】杭を打ち込み始めた状態を示す側面断面図である。
【図６】打ち込み部分のピッチを示す客土の斜面側の正面側の説明図である。
【図７】杭の後端部にパイプを接続して打ち込み始めた状態を示す側面断面図である。
【図８】杭とパイプを所定長打ち込んでこれらを残置した状態を示す側面断面図である。
【図９】客土に植樹した様子を示す側面断面図である。
【発明を実施するための形態】
【００１７】
以下、本発明の実施の形態について説明すると、図１は、盛土状態の残土１を示しており、この残土１は事前に、たとえばローラ式、プレート式等の公知の締め固装置によって締固められており、コーン指数でたとえば１２００ｋＮ／ｍ２以上となるように締固められている。そしてその斜面１ａのマウンド傾斜（勾配）は、１．２〜１．４となるように盛り土されている。なおここでマウンド傾斜（勾配）とは、図１で示される斜面１ａの水平長（ｂ）／高さ（ａ）で示される値をいう。
【００１８】
この残土１の表面に、客土２を積層させる。客土２は、残土１の表面に対して平行に積み上げられ、残土の斜面１ａ上にも客土の斜面２ａが形成される。そして客土２が残土１の上に積み上げられた後、客土２に対しても締め固装置によって締固め作業がなされる。かかる場合、客土２のコーン指数は、２６７ｋＮ／ｍ２〜１５１０ｋＮ／ｍ２、好ましくは３００ｋＮ／ｍ２程度がよい。なお客土２に用いる土の種類は、植物が生育するのに適した土が用いられる。
【００１９】
そして残土１の上に積層される客土２の厚みは、上記のようなコーン指数となるように締固め後の厚さｄが、客土２の斜面２ａにおいて、０．２ｍ〜１．４ｍとなるように客土２が残土１の上に積み重ねられる。この厚さｄは、たとえば植えられる樹木、草等の種類によって適宜選択される。なお客土２厚さｄは、図2に示したように、客土２の表面に対して直角方向の厚さである。
【００２０】
次いで補強材、パイプの斜面への進入、打ち込み作業が行われるが、本実施の形態で使用された補強材、パイプは下記の通りである。
【００２１】
まず、アンカー機能を有する補強材として、図３に示したように、本体１０の外周に羽根１１を螺旋状に形成した杭１２が使用される。この杭１２は、円柱形状の本体１０の外周に羽根１１が形成されたいわゆるオーガスクリューの構造を有している。実施の形態で使用される杭１２のサイズは、例えば羽根の軸方向から見た直径が１４０〜２００ｍｍ、本体１０の直径が４０〜９０ｍｍ、長さが２０００〜３０００ｍｍである。もちろんかかるサイズに限られず、条件等によって適宜選択できる。
【００２２】
杭１２に続けて進入させるパイプは、図４に示したように、全体として円筒形状のパイプ２１であり、その周面にはパイプ２１の厚み方向に貫通した透水孔２２が多数形成されている。本実施の形態では、透水孔２２は、軸方向に沿って長い長孔形状を有している。もちろん透水孔２２の形状はそのような長孔形状に限られない。また本実施の形態では、透水孔２２のパイプ２１の周面の面積に対する開口率は、５％である。開口率は、残土１、客土２の条件などによって適宜選択できる。
【００２３】
パイプ２１のサイズは、直径が４０〜９０ｍｍ、長さが２０００〜３０００ｍｍである。もちろんかかるサイズに限られず、条件等によって適宜選択できる。
【００２４】
パイプ２１の後端部２３近傍の内周には、中心に向けて突出した、係止用の凸部２４が設けられている。この凸部２４は、後述のモータ等の回転駆動装置３１の駆動部と係止して回転力を得るためのものである。
【００２５】
そして杭１２、パイプ２１を、客土２の斜面２ａから客土２、残土１に対して打ち込んで進入させていくのであるが、まず図５に示したように、杭１２を先頭にして打ち込んで進入させる。打ち込んで進入させる際には、まずモータ等の回転駆動装置３１に、杭１２の後端部１３をセットする。そしてたとえば斜面外方に、レール等を有する架台を設置し、当該架台上に回転駆動装置３１をセットし、回転駆動装置３１を作動させながら、回転駆動装置３１と共に、斜面２ａ側に杭１２を圧入させていく。これによって杭１２は、斜面２ａから客土２、そして斜面１ａから残土１中に回転圧入されていく。なおかかる打設方法は、あくまでも一例であり、その他に種々の公知の方法を採用することができる。
【００２６】
このとき杭１２の打ち込み進入は、仰角方向、すなわち、斜め上方に向けて打ち込むのであるが、俯角方向に打ち込む際の角度は、図５に示したように、打ち込み角度θは、０＜θ≦１０度が好ましい。
【００２７】
このようにして杭１２を斜面２ａから打ち込んでいき、杭１２を相当程度打ち込んだら、杭１２の後端部１３がまだ地中に進入していない状態で、一旦回転駆動装置３１の駆動部と杭１２の後端部１３との固定を解除し、杭１２の後端部１３にパイプ２１の先頭部を接続固定する。接続固定は、溶接、固定部材による固定等、適宜選択できる。
【００２８】
そして杭１２とパイプ２１との接続固定が終了すると、パイプ２１の後端部２３と回転駆動装置３１の駆動部とを固定し、次にパイプ２１を回転圧入させて、地中に進入させる。
【００２９】
このようにして、順次パイプ２１を継ぎ足して地中に進入させ、地中に進入させた杭１２、パイプ２１の合計長さが、所定長になったらこれらの打ち込み作業を終了する。
【００３０】
この場合、少なくとも杭１２が残土１まで達し、かつパイプ２１の後端部２３が、図８に示したように、斜面２ａから少し突出し、客土２の厚さより長い状態がよく、また地中に進入させた杭１２は、図７に示したように、たとえば外周に羽根が螺旋状に設けられた杭である場合、外周の羽根が全て盛土内に入り、盛土内で引き抜き抵抗性を確保できる状態が良い。かかる長さは、残土１の強度も考慮して決定される。
【００３１】
そして杭１２、パイプ２１は、斜面に対して複数の箇所、すなわち図６に示したように、斜面２ａ側からみて千鳥配置に打ち込んで進入させる。このとき図６に示したように、各杭１２、パイプ２１の進入、打ち込み部Ｐの水平方向のピッチｍは、２〜３ｍに設定される。また千鳥配置で打ち込むときの上下段の間隔ｎは、２〜３ｍに設定される。
【００３２】
そのように杭１２、パイプ２１を所定長進入させ、残土１及び客土２中に残置したら、図９に示したように、所望の樹木５１等の植物や苗を客土２に植え付ければよい。
【００３３】
このように本実施の形態によれば、まず、全体の施工からみると、残土１の上に客土２を積層し、次いで杭１２、パイプ２１を打ち込んで進入させ、その後にこれら杭１２、パイプ２１をそのまま残土１、客土２中に残置して、後は所望の樹木５１等を客土２に植え付ければよいので、全体としての施工がきわめて簡単である。
【００３４】
また杭１２、パイプ２１は比較的小口径（直径９０ｍｍ以下）であるから、これらを打ち込んで地中に進入させる際も、簡易、小型な回転駆動装置３１で足りるため、従来のこの種の緑化工法と比べて、はるかに労力、手間が軽減される。
【００３５】
ところで残土１と客土２とは、そのコーン指数が大きく異なっており、雨水等の浸透によって客土２が滑り落ちて崩落することが考えられるが、本実施の形態によれば、地中に打ち込んで残置した杭１２は、その外周に羽根１１が螺旋状に設けられており、これらがアンカー機能を有している。そしてこの杭１２にパイプ２１が接続固定されて、客土２の厚さより相当程度長く地中に複数打ち込まれ、しかもパイプ２１には、多数の透水孔２２が形成され、またパイプ２１自体は、仰角をもって打ち込まれたものであるから、地中には、斜面１ａ、２ａ側に下がる方向で地中に残置されている。したがって客土２内に浸透した雨水は、パイプ２１の透水孔２２から速やかに斜面２ａの外側に排出される。これらのことから、また雨水が客土２に浸透しても、客土２が残土１から滑り落ちて斜面崩壊することは防止される。
【００３６】
なお前記実施の形態において、補強材として使用したアンカー機能を有する杭１２は、本体１０の外周に螺旋状に羽根１１が設けられた、オーガスクリュー形状のものであったが、これに限られず、本発明で用いられるアンカー機能を有する補強材は、地中への推進が容易で、かつ地中に残置された際には、地盤と係止するなどしてアンカー機能を有するものであればよい。
【００３７】
また前記実施の形態では、残土１が盛土されたものを対象として施工したが、本発明はそのような残土に限らず、たとえば一般土砂の盛土に対してももちろん適用可能である。
【産業上の利用可能性】
【００３８】
本発明は、盛り土にした状態の残土の斜面を緑化する際に有用である。
【符号の説明】
【００３９】
１    残土
１ａ  斜面
２    客土
２ａ  斜面
１０    本体
１１    羽根
１２    杭
１３    後端部
２１    パイプ
２２    透水孔
２３    後端部
２４    凸部
３１    回転駆動装置
ｄ    厚さ
ｍ    ピッチ
ｎ    上下段の間隔
Ｐ    打ち込み部
【図１】
0006654035.tif 000002
【図２】
0006654035.tif 000003
【図３】
0006654035.tif 000004
【図４】
0006654035.tif 000005
【図５】
0006654035.tif 000006
【図６】
0006654035.tif 000007
【図７】
0006654035.tif 000008
【図８】
0006654035.tif 000009
【図９】
0006654035.tif 000010